(57)【要約】【課題】パッド本体から鼻に対して加わる圧力を分散し、装用者の鼻に集中応力による痛み、あるいはパッド痕を形成せず、フィット感に優れた眼鏡フレーム用の鼻当てパッドを提供する。【解決手段】フロントフレームのリムとの連結部分、すなわち、芯金１３とパッド固定部材との連結部分から下部１２ａを上部よりも面積を大きくし、かつ前記連結部分から前記リム方向の側面１２ｂを反対側よりも面積を大きくしており、鼻に当接する部位の面積を拡大させることにより、パッド本体１２と鼻との当接部位において、パッド１１を介して鼻に加わる眼鏡フレームの重量を分散させる。【選択図】    図１
2004348097.tif 000002
【特許請求の範囲】
【請求項１】
眼鏡レンズが装着されるリムに対して連結される眼鏡フレーム用の鼻当てパッドにおいて、
前記リムとの連結部分から下部を上部よりも面積を大きくし、かつ前記連結部から前記リム方向側を反対側よりも面積を大きくしたことを特徴とする眼鏡フレーム用の鼻当てパッド。
【請求項２】
前記連結部から前記リム方向側における側線と、前記反対側における側線との延長線がなす角度を、略１５〜２５度に設定したことを特徴とする請求項１記載の眼鏡フレーム用の鼻当てパッド。
【請求項３】
鼻との接触面部分に平坦面部を形成したことを特徴とする請求項１または２記載の眼鏡フレーム用の鼻当てパッド。
【発明の詳細な説明】
【０００１】
【発明の属する技術分野】
本発明は、眼鏡フレーム用の鼻当てパッドに関するものである。
【０００２】
【従来の技術】
従来、眼鏡フレーム用の鼻当てパッドは、眼鏡装用者の鼻に直接当接するものであるため、眼鏡フレームの重量が、パッドを介して鼻に集中して加わり、時として装用者において鼻におけるパッドの当たる部分に痛みを生じたり、あるいはパッドの圧痕が残ることが少なくない。
【０００３】
このため、この種のパッドとして、鼻に痛みを生じさせず、また圧痕が付くことを防ぐようにし、かつずり落ちなどが生じることなく、フィット感のよいパッドとすることが要求されてきており、例えば特許文献１〜３などに記載されているように、パッドの材料，パッド構造，取り付け構造などを工夫したものが数多く提案されている。
【０００４】
パッド１の一般的な形状，構造として、図４（ａ），（ｂ）、あるいは図５（ａ），（ｂ）に示すように、アセテート樹脂あるいはシリコン樹脂製のパッド本体（図には右側のパッド本体のみ示す）２に芯金３の一側部３ａを埋設し、さらに、この芯金３の他側部３ｂを嵌合部として、フロントフレームのリムから延出する公知のパッド固定部（例えば特許文献１参照）の端部に対して遊嵌するようにした構成のものが、いわゆる高級品とされるメガネフレームに使用されている。
【０００５】
また、前記芯金３は、パッド本体２における左右側端部から略中央のやや上部に設けられており、パッド１全体として略左右対称の構成になるように設けられている。
【０００６】
さらに、パッド本体２としては、図４（ａ）に示すように、正面形状が下部を多少先鋭とし、全体として下窄まり状をなす略楕円形のもの、あるいは図５（ａ）に示すように、正面形状が下部を円弧状とし、全体として下膨れ状をなす涙形状のものがあり、両者共に、図４（ｂ），図５（ｂ）に示すように、鼻に接触する面４は側面視円弧状をなすものであった。
【特許文献１】
特開２００２−７２１５１号公報
【特許文献２】
特開２００１−３０５４９０号公報
【特許文献３】
特開平１０−３０１０６４号公報
【０００７】
【発明が解決しようとする課題】
前記従来のパッドにおいて、特許文献１〜３に記載されたものは、アイデアとしては優秀であるが、実使用に際しては構造が複雑であったり、また実効果において問題がある。
【０００８】
また、図４（ａ），（ｂ）および図５（ａ），（ｂ）に示すものは、パッド固定部を適宜変形させ、パッド１におけるリムの取り付け角度を変位させる作業により、鼻に対する当接調整を行っていた。しかしながら、パッド１の下辺縁部分が鼻に当ったり、パッド１の中央曲面部分が鼻に入り込むことに対する十分な配慮はなされておらず、圧痕などの不具合の発生を十分に防ぐまでには至っていない。
【０００９】
そこで本発明の目的は、前記の諸課題に鑑み、パッド本体から鼻に対して加わる圧力を分散し、装用者の鼻に集中応力による痛み、あるいはパッド痕を形成せず、フィット感に優れた眼鏡フレーム用の鼻当てパッドを提供することにある。
【００１０】
【課題を解決するための手段】
前記課題を解決するため本発明は、眼鏡レンズが装着されるリムに対して連結される眼鏡フレーム用の鼻当てパッドにおいて、前記リムとの連結部分から下部を上部よりも面積を大きくし、かつ前記連結部から前記リム方向側を反対側よりも面積を大きくしたものであり、鼻に当接する部位の面積を拡大させたことにより、眼鏡フレームの重量により鼻に加わる圧力が分散され、従来のように鼻にパッド痕が残らず、しかも装用時に眼鏡がズレ落ちるようなこともなくなる。しかも、リム方向にパッド面積を拡大したことによって、当該拡大部位がリムに隠れて、外部から見た場合に面積拡大したことが目立たない。
【００１１】
また、前記連結部から前記リム方向側における側線と、前記反対側における側線との延長線がなす角度を、略１５〜２５度に設定することにより、装用感，フィット感に優れたものになる。
【００１２】
また、鼻との接触面部分に平坦面部を形成することにより、さらに鼻に対する圧力分散の作用が効果的に働く。
【００１３】
【発明の実施の形態】
以下、本発明の実施の形態を図面に基づいて説明する。
【００１４】
図１は本発明の好適な実施形態を説明するための鼻当てパッドの構成図であり、（ａ）はパッドの正面図、（ｂ）はパッドの側面図、（ｃ）はパッドの底面図であって、パッド１１は、本例ではエチレンポリマー樹脂製のパッド本体（右側のパッド本体のみ示す）１２を主体としたもので、パッド本体１２に従来例と同様に芯金１３の一側部１３ａを埋設してなるものである。
【００１５】
図２は本実施形態のパッド１１における使用例を説明するための図であり、１４はフロントフレームのリム、１５はリム１４から眼鏡装用者Ｍ側に延出する脚部材および箱部材（図示を省略）などからなるパッド固定部材であって、このパッド固定部材１５の端部に、従来と同様に、図１に示すパッド本体１２に設けられた芯金１３の他側部１３ｂが遊嵌している。
【００１６】
パッド本体１２は、図１（ａ）に示すように、前記リム１４との連結部分、すなわち、芯金１３とパッド固定部材１５との連結部分から下部１２ａの面積を上部よりも大きくし、かつ前記連結部分から前記リム１４の配設方向における側面部１２ｂの面積を反対側よりも大きくしており、鼻に当接する部位の面積を拡大させることにより、パッド本体１２と鼻との当接部位において、パッド１１を介して鼻に加わる眼鏡フレームの重量を分散することができるようにしている。
【００１７】
前記のようにリム１４方向にパッド本体１２の面積を拡大することによって、当該拡大部位（下部１２ａおよび側面１２ｂ）の一部がリム１４に隠れて（図２（ａ）参照）、外部から見た場合に面積拡大したことが目立たないようにすることができる。
【００１８】
前記の構成を採用して、図１（ａ）に示すように、パッド本体１２における前記連結部分からリム方向側における側線１２ｃの延長線と、リム方向とは反対側における側線１２ｄの延長線とがなす角度αを、略１５〜２５度に設定することによって、装用感およびフィット感に優れたものになる。
【００１９】
また本実施形態では、図１（ａ）に２点鎖線にて示すように、パッド本体１２における略中央部、すなわち鼻との接触面部分を平坦面部１６とすることにより、パッド１１から鼻に加わる圧力をさらに分散することができるようにしている。
【００２０】
本実施形態のパッド構成にすることによって、従来例として図４にて説明したパッド１と比較すると、図１（ａ），図３に示すように、本実施形態のパッド１１では、リム側への面積拡大した分、パッド１１と鼻との摩擦力が増大し、ずり落ちし難くなる。
【００２１】
一般的にフロントフレームは、装用者Ｍの目との適合のため、図２（ａ）に示すように、前傾角βとして８〜１２度程度傾いて装着されるように構成されている。このため、パッドも同角度で鼻に当接するようになっており、このため、鎖線で示す従来のパッド１の下辺部が内側（顔側）方向に傾き、パッド１の下部が鼻に均一に接触しないようになり、このことがパッド圧痕を生じさせる原因の１つになっていた。
【００２２】
しかし、本実施形態のパッド１１では、前記のように角度αを略１５〜２５度に設定し、面積をリム側に拡大してパッド１１における鼻との当接部位が広がるようにしたことにより、図２（ａ），（ｂ）に示すように、装用時においてパッド１１が鼻に均一に当接することになり、従来の前記のような不具合を解消することができる。
【００２３】
【発明の効果】
以上説明したように、本発明における眼鏡フレーム用の鼻当てパッドは、請求項に記載の構成を採用して、鼻に当接する部位の面積を拡大させたことにより、眼鏡フレームの重量により鼻に加わる圧力を分散することができ、従来のように鼻にパッド痕が残ったり、パッドとの接触部分の鼻が痛くなるような不具合の発生を抑制することができ、さらに面積拡大による摩擦力増加により、装用時に眼鏡がずれ落ちることも防ぐことができる。しかも、リム方向に面積を拡大することによって、当該拡大部位がリムに隠れて、外部から見た場合に面積拡大したことを目立たなくすることができるなど、実際上の効果が大なるものである。
【図面の簡単な説明】
【図１】本発明の好適な実施形態を説明するための鼻当てパッドの構成図であり、（ａ）はパッドの正面図、（ｂ）はパッドの側面図、（ｃ）はパッドの底面図である。
【図２】本実施形態のパッドにおける使用例を説明するための図であり、（ａ）は装用者の横から見た図、（ｂ）は鼻の上方から見た図である。
【図３】本実施形態のパッドと従来のパッドとを比較して示す図である。
【図４】従来のパッドを示す説明図であり、（ａ）はパッドの正面図、（ｂ）はパッドの側面図である。
【図５】従来のパッドの他例を示す説明図であり、（ａ）はパッドの正面図、（ｂ）はパッドの側面図である。
【符号の説明】
１１  パッド
１２  パッド本体
１３  芯金
１４  フロントフレームのリム
１５  パッド固定部材
【図１】
2004348097.tif 000003
【図２】
2004348097.tif 000004
【図３】
2004348097.tif 000005
【図４】
2004348097.tif 000006
【図５】
2004348097.tif 000007